(57)【要約】【課題】  一対の筐体１、２を互いにスライド可能に係合させて構成される携帯型電子機器において、閉じ状態での両筐体間の端面における隙間を最小限に抑える。【解決手段】  本発明に係る携帯型電子機器において、一対の筐体１、２には、開き状態から閉じ状態へのスライドに伴って互いに接近して閉じ状態にて互いに係合する凸部14及び凹部26が、各筐体のスライド方向の一方の端部に形成され、凸部14と凹部26は互いに係合した状態で両筐体１、２のスライド方向とは直交する方向の離間を拘束する。【選択図】      図７
2006220184.tif 000002
【特許請求の範囲】
【請求項１】
一対の筐体(１)(２)を一方向に沿って互いにスライド可能に係合させて構成され、両筐体(１)(２)が最大の重なり面積で重なった閉じ状態と、両筐体(１)(２)が最小の重なり面積で重なった開き状態とを設定することが可能な携帯型電子機器において、
前記一対の筐体(１)(２)には、開き状態から閉じ状態へのスライドに伴って互いに接近して閉じ状態にて互いに係合する係合部及び係合受け部が、各筐体のスライド方向の一方の端部に形成され、該係合部及び係合受け部は、互いに係合した状態にて両筐体(１)(２)のスライド方向とは直交する方向の離間を拘束することを特徴とする携帯型電子機器。
【請求項２】
前記係合部は、前記係合受け部に向かって突出する凸部(14)によって形成されると共に、前記係合受け部は、該凸部(14)が嵌入可能な凹部(26)によって形成されている請求項１に記載の携帯型電子機器。
【請求項３】
前記一対の筐体(１)(２)はそれぞれ、スライド方向の一方の端部に、閉じ状態にて互いに揃う端面(10)(20)を有し、前記係合部及び係合受け部は、該端面(10)(20)の内側に設けられている請求項１又は請求項２に記載の携帯型電子機器。
【発明の詳細な説明】
【技術分野】
【０００１】
本発明は、携帯電話機等の携帯型電子機器に関し、特に一対の筐体を互いにスライド可能に係合させて構成されるスライド式携帯電話機の如きスライド式の携帯型電子機器に関するものである。
【背景技術】
【０００２】
スライド式携帯電話機は、図９に示すように、操作側筐体(３)と表示側筐体(４)を互いにスライド可能に係合させて構成され、操作側筐体(３)の表面には複数の操作キーと送話部(何れも図示省略)が配備されると共に、表示側筐体(４)の表面にはディスプレイ(41)と受話部(42)が配備され、操作側筐体(３)に対して表示側筐体(４)をスライドさせて開くことによって、前記操作キーが露出する様になっている。
【０００３】
表示側筐体(４)の両側部にはそれぞれスライド部(43)が突設されると共に、操作側筐体(３)の両側部にはそれぞれ前記スライド部(43)がスライド可能に係合するガイド溝(31)が凹設されており、スライド部(43)がガイド溝(31)に沿って摺動することにより、操作側筐体(３)に対する表示側筐体(４)のスライドが案内される(例えば特許文献１参照)。
【特許文献１】特開平１１−３３１３３２号公報［H04M1/02］
【発明の開示】
【発明が解決しようとする課題】
【０００４】
しかしながら、上述のスライド式の携帯電話機においては、両筐体(３)(４)が最小の重なり面積で重なった開き状態から、図９の如く両筐体(３)(４)が最大の重なり面積で重なった閉じ状態までスライドさせたとき、操作側筐体(３)の端面(30)と表示側筐体(４)の端面(40)の間には、例えば１ｍｍを超える大きな隙間Ｅが生じて、見栄えが悪い問題があった。
この様に両筐体(３)(４)の端面(30)(40)間に大きな隙間Ｅが生じるのは、両筐体(３)(４)のスライドを案内しているガイド溝(31)が操作側筐体(３)の端面(30)に達するまで伸びているにも拘わらず、スライド部(43)は、表示側筐体(４)の端面(40)まで達する長さには形成されておらず、図示の如く両筐体(３)(４)が閉じた状態で、端面(30)(40)の近傍領域ではガイド溝(31)とスライド部(43)とが互いに係合していないため、両筐体(３)(４)が端面(30)(40)の近傍で互いに離間して開きが生じるからである。
【０００５】
表示側筐体(４)のスライド部(43)を端面(40)に至る長さに形成すれば、両筐体(３)(４)の端面(30)(40)間の隙間が設計値を超えて拡大することはないが、スライド部(43)は、ガイド溝(31)との摺動摩擦を低減させるために低抵抗の別部材から形成されているので、スライド部(43)を長く形成することは重量の増大やコストの増加を招くことになる。
【０００６】
そこで本発明の目的は、一対の筐体が互いにスライド可能に係合してなる携帯型電子機器において、従来のスライド構造を改変することなく閉じ状態での両筐体間の隙間を最小限に抑えることである。
【課題を解決するための手段】
【０００７】
本発明に係る携帯型電子機器は、一対の筐体(１)(２)を一方向に沿って互いにスライド可能に係合させて構成され、両筐体(１)(２)が最大の重なり面積で重なった閉じ状態と、両筐体(１)(２)が最小の重なり面積で重なった開き状態とを設定することが可能である。
ここで、前記一対の筐体(１)(２)には、開き状態から閉じ状態へのスライドに伴って互いに接近して閉じ状態にて互いに係合する係合部及び係合受け部が、各筐体のスライド方向の一方の端部に形成され、該係合部及び係合受け部は、互いに係合した状態にて両筐体(１)(２)のスライド方向とは直交する方向の離間を拘束する。
【０００８】
上記本発明の携帯型電子機器においては、一対の筐体(１)(２)を開き状態から閉じ状態までスライドさせることによって、係合部と係合受け部が互いに係合し、その係合領域の近傍、即ち、両筐体(１)(２)のスライド方向の一方の端部では、両筐体(１)(２)の離間が阻止され若しくは一定範囲内に制限され、両筐体(１)(２)間の隙間が拡大することはない。
【０００９】
具体的構成において、前記係合部は、前記係合受け部に向かって突出する凸部(14)によって形成されると共に、前記係合受け部は、該凸部(14)が嵌入可能な凹部(26)によって形成されている。
該具体的構成によれば、一対の筐体(１)(２)を開き状態から閉じ状態までスライドさせることによって、凸部(14)が凹部(26)へ嵌入し、両筐体(１)(２)のスライド方向の一方の端部では、両筐体(１)(２)の離間が拘束されることになる。
【００１０】
更に具体的な構成において、前記一対の筐体(１)(２)はそれぞれ、スライド方向の一方の端部に、閉じ状態にて互いに揃う端面(10)(20)を有し、前記係合部及び係合受け部は、該端面(10)(20)の内側に設けられている。
該具体的構成によれば、両筐体(１)(２)の閉じ状態での係合部と係合受け部の係合によって、両筐体(１)(２)の端面(10)(20)の離間が有効に阻止される。
又、該具体的構成によれば、両筐体(１)(２)の係合部と係合受け部が、端面(10)(20)の内側に設けられているので、閉じ状態で両筐体(１)(２)の外側からは見えず、外観を損なうことがない。
【発明の効果】
【００１１】
本発明に係るスライド式の携帯型電子機器によれば、一対の筐体に単に係合部と係合受け部を形成した構造によって閉じ状態での両筐体間の隙間を最小限に抑えることが出来る。
【発明を実施するための最良の形態】
【００１２】
以下、本発明をスライド式携帯電話機に実施した形態につき、図面に沿って具体的に説明する。
本発明に係るスライド式携帯電話機は、図１及び図２に示す如く、それぞれ扁平な操作側筐体(１)と表示側筐体(２)を互いにスライド可能に係合させて構成され、図１の如く両筐体(１)(２)が最大の重なり面積で重なった閉じ状態と、図２の如く両筐体(１)(２)が最小の重なり面積で重なった開き状態とを設定することが可能である。
操作側筐体(１)の表面には複数の操作キー(11)と送話部(12)が配備され、表示側筐体(２)の表面にはディスプレイ(21)と受話部(22)が配備されている。
【００１３】
図３に示す如く、表示側筐体(２)の裏面には、その両側部に沿ってスライド方向へ伸びる周壁部(27)(27)が突設されると共に、受話部側の端部には、両周壁部(27)(27)の端部を互いに連結する周壁部(25)が突設されている。
そして、両側の周壁部(27)(27)の中央部にはそれぞれ、樹脂表面に対する摺動抵抗の低い材料からなるスライド部材(23)(23)が配備されている。両スライド部材(23)(23)には、互いに対向する向きに突出する凸条部(24)(24)が形成されている。
【００１４】
図４に示す如く操作側筐体(１)の表面には、その両側部に、スライド方向に伸びる段差部(16)(16)が凹設されると共に、送話部(12)とは反対側の端部には、両段差部(16)(16)の端部を繋ぐ段差部(15)が凹設されている。
そして、両側の段差部(16)(16)には、前記スライド部材(23)(23)の凸条部(24)(24)がそれぞれ摺動可能に係合するガイド溝(13)(13)が凹設されている。
尚、操作側筐体(１)のガイド溝(13)は、送話部(12)側の端面から所定距離だけ離れた位置から送話部(12)とは反対側の端面に至る長さに形成されている。
【００１５】
図５及び図６に示す様に、操作側筐体(１)と表示側筐体(２)は、操作側筐体(１)の段差部(16)(16)と表示側筐体(２)の周壁部(27)(27)とを互いに対向させると共に、操作側筐体(１)のガイド溝(13)に対して表示側筐体(２)のスライド部材(23)の凸条部(24)を係合させた状態で、互いに重ね合わされて組み立てられている。
斯くして、表示側筐体(２)のスライド部材(23)(23)が操作側筐体(１)のガイド溝(13)(13)に沿って摺動することにより、両筐体(１)(２)のスライドが案内されることになる。
【００１６】
又、操作側筐体(１)には、図４に示す如く送話部(12)とは反対側の端部に、スライド方向へ突出する凸部(14)が形成されている。一方、表示側筐体(２)には、図３に示す如く、受話部側の周壁部(25)の内面に、前記凸部(14)が嵌入可能な凹部(26)が形成されている。
【００１７】
図７に示す如く、操作側筐体(１)と表示側筐体(２)が閉じた状態では、操作側筐体(１)の受話部(22)側の端面(20)と操作側筐体(１)の送話部とは反対側の端面(10)とが略同一面上に揃うことになる。
又、操作側筐体(１)と表示側筐体(２)が開き状態から閉じ状態へスライドする過程で、表示側筐体(２)の周壁部(25)の内面に形成された凹部(26)に対し、操作側筐体(１)の凸部(14)が接近し、両筐体(１)(２)の閉じ状態では、凹部(26)に凸部(14)が嵌入して、両者が互いに係合する。
逆に、操作側筐体(１)と表示側筐体(２)が閉じ状態から開き状態へスライドすることによって、操作側筐体(１)の凸部(14)は表示側筐体(２)の凹部(26)から離脱することになる。
【００１８】
尚、操作側筐体(１)と表示側筐体(２)が閉じた状態で、操作側筐体(１)の段差部(15)と表示側筐体(２)の周壁部(25)との間の隙間Ｏは０.３ｍｍである。又、操作側筐体(１)の凸部(14)と表示側筐体(２)の凹部(26)の間の隙間については、スライド方向の隙間Ｍが０.３ｍｍ、凸部(14)の上側の隙間Ｎが０.３ｍｍ、凸部(14)の下側の隙間Ｌが０.１ｍｍである。
【００１９】
この様に、閉じ状態の操作側筐体(１)の端面(10)と表示側筐体(２)の端面(20)との間には、０.３ｍｍの隙間Ｏが存在するに過ぎず、仮に操作側筐体(１)と表示側筐体(２)とが互いに離間する方向に開かんとしても、操作側筐体(１)の凸部(14)と表示側筐体(２)の凹部(26)との係合によって、両端面(10)(20)間の隙間は更に０.１ｍｍだけ拡大するに過ぎない。
従って、図８に示す如く、操作側筐体(１)と表示側筐体(２)の間の端面(10)(20)における隙間Ｄは極めて小さく、上述の例では高々０.４ｍｍに過ぎず、従来のスライド式携帯電話機において発生していた隙間よりも遙かに小さなものとなる。
【００２０】
上述の如く本発明のスライド式携帯電話機によれば、表示側筐体(２)のスライド部材(23)の長さを延長することなく、操作側筐体(１)に凸部(14)、表示側筐体(２)に凹部(26)を形成しただけの簡易な構成により、操作側筐体(１)の端面(10)と表示側筐体(２)の端面(20)との間に生じ得る隙間を最小限に抑えることが出来る。
ここで、操作側筐体(１)の凸部(14)と表示側筐体(２)の凹部(26)とは、両筐体(１)(２)が閉じた状態でスライド方向の一方の端面(10)(20)の内側に形成されており、外側からは見えないので、外観を損なうことはない。
【００２１】
尚、本発明の各部構成は上記実施の形態に限らず、特許請求の範囲に記載の技術的範囲内で種々の変形が可能である。例えば、上記実施例では、操作側筐体(１)に凸部(14)、表示側筐体(２)に凹部(26)を形成しているが、操作側筐体(１)に凹部(26)、表示側筐体(２)に凸部(14)を形成することも可能である。
【図面の簡単な説明】
【００２２】
【図１】本発明に係るスライド式携帯電話機の閉じ状態の斜視図である。
【図２】同上の開き状態の斜視図である。
【図３】表示側筐体を裏返した状態を示す斜視図である。
【図４】操作側筐体の斜視図である。
【図５】図１のＡ−Ａ線に沿う断面図である。
【図６】図５のＣ部を拡大して示す図である。
【図７】図１のＢ−Ｂ線に沿う断面図である。
【図８】本発明のスライド式携帯電話機における閉じ状態の両筐体の端面を示す斜視図である。
【図９】従来のスライド式携帯電話機における閉じ状態の両筐体の端面を示す斜視図である。
【符号の説明】
【００２３】
(１)  操作側筐体
(10)  端面
(11)  操作キー
(12)  送話部
(13)  ガイド溝
(14)  凸部
(２)  表示側筐体
(20)  端面
(21)  ディスプレイ
(22)  受話部
(23)  スライド部材
(24)  凸条部
(26)  凹部
【図１】
2006220184.tif 000003
【図２】
2006220184.tif 000004
【図３】
2006220184.tif 000005
【図４】
2006220184.tif 000006
【図５】
2006220184.tif 000007
【図６】
2006220184.tif 000008
【図７】
2006220184.tif 000009
【図８】
2006220184.tif 000010
【図９】
2006220184.tif 000011